(57)【要約】【課題】異なるネットワークのアーキテクチャを具備するネットワーク事業者間でローミングを実施することを可能とする。【解決手段】本発明に係る移動通信方法は、ＧＴＰによってＩＷＦに接続されているＳ-ＧＷが、ＩＷＦに対して、ＧＴＰ-Ｃ信号として移動局ＵＥの接続要求を送信する工程と、ＩＷＦが、ｈＰＣＲＦから受信した接続応答に含まれる移動局ＵＥ用のＱｏＳ情報を含む接続応答を、Ｓ-ＧＷに対して、ＧＴＰ-Ｃ信号として送信する工程とを有することを要旨とする。【選択図】図３
2011004256.tif 000002
【特許請求の範囲】
【請求項１】
サービス品質情報を送信することができる第１プロトコルによってインターワーキング装置に接続されている第１ゲートウェイ装置が、該インターワーキング装置に対して、該第１プロトコル用制御信号として移動局の接続要求を送信する工程と、
前記インターワーキング装置が、サービス品質情報を送信することができない第２プロトコルによって該インターワーキング装置に接続されている第２ゲートウェイ装置に対して、該第２プロトコル用制御信号として前記移動局の接続要求を送信し、サービス品質情報を送信することができる第３プロトコルによって該インターワーキング装置に接続されている管理装置に対して、該第３プロトコル用制御信号として該移動局の接続要求を送信する工程と、
前記管理装置が、受信した前記移動局の接続要求に応じて、前記インターワーキング装置に対して、前記第３プロトコル用制御信号として接続応答を送信する工程と、
前記第２ゲートウェイ装置が、受信した前記移動局の接続要求に応じて、前記インターワーキング装置に対して、前記第２プロトコル用制御信号として接続応答を送信する工程と、
前記インターワーキング装置が、前記管理装置から受信した前記接続応答に含まれる前記移動局用のサービス品質情報を含む接続応答を、前記第１ゲートウェイ装置に対して、前記第１プロトコル用制御信号として送信する工程とを有することを特徴とする移動通信方法。
【請求項２】
交換機が、前記移動局の接続要求を受信した場合に、ＤＮＳに対して、前記第２ゲートウェイ装置のアドレス解決要求を送信する工程と、
前記ＤＮＳが、前記第２ゲートウェイ装置のアドレス解決要求に応じて、前記交換機に対して、前記インターワーキング装置のアドレスを含むアドレス解決応答を送信する工程とを有することを特徴とする請求項１に記載の移動通信方法。
【請求項３】
交換機が、前記インターワーキング装置のアドレスを直接保持しており、前記移動局の接続要求を受信した場合に、ＤＮＳを介することなく、該インターワーキング装置のアドレスを、前記第２ゲートウェイ装置のアドレス解決に用いる工程を有することを特徴とする請求項１に記載の移動通信方法。
【請求項４】
インターワーキング装置と、
サービス品質情報を送信することができる第１プロトコルによって前記インターワーキング装置に接続されている第１ゲートウェイ装置と、
サービス品質情報を送信することができない第２プロトコルによって前記インターワーキング装置に接続されている第２ゲートウェイ装置と、
サービス品質情報を送信することができる第３プロトコルによって前記インターワーキング装置に接続されている管理装置とを具備しており、
前記第１ゲートウェイ装置は、前記インターワーキング装置に対して、前記第１プロトコル用制御信号として移動局の接続要求を送信するように構成されており、
前記インターワーキング装置は、前記第２ゲートウェイ装置に対して、前記第２プロトコル用制御信号として前記移動局の接続要求を送信し、前記管理装置に対して、前記第３プロトコル用制御信号として該移動局の接続要求を送信するように構成されており、
前記管理装置は、受信した前記移動局の接続要求に応じて、前記インターワーキング装置に対して、前記第３プロトコル用制御信号として接続応答を送信するように構成されており、
前記第２ゲートウェイ装置は、受信した前記移動局の接続要求に応じて、前記インターワーキング装置に対して、前記第２プロトコル用制御信号として接続応答を送信するように構成されており、
前記インターワーキング装置は、前記管理装置から受信した前記接続応答に含まれる前記移動局用のサービス品質情報を含む接続応答を、前記第１ゲートウェイ装置に対して、前記第１プロトコル用制御信号として送信するように構成されていることを特徴とする移動通信システム。
【請求項５】
交換機と、ＤＮＳとを更に具備しており、
前記交換機は、前記移動局の接続要求を受信した場合に、前記ＤＮＳに対して、前記第２ゲートウェイ装置のアドレス解決要求を送信するように構成されており、
前記ＤＮＳは、前記第２ゲートウェイ装置のアドレス解決要求に応じて、前記交換機に対して、前記インターワーキング装置のアドレスを含むアドレス解決応答を送信するように構成されていることを特徴とする請求項４に記載の移動通信システム。
【請求項６】
交換機と、ＤＮＳとを更に具備しており、
前記交換機は、前記インターワーキング装置のアドレスを直接保持しており、前記移動局の接続要求を受信した場合に、前記ＤＮＳを介することなく、該インターワーキング装置のアドレスを、前記第２ゲートウェイ装置のアドレス解決に用いるように構成されていることを特徴とする請求項４に記載の移動通信システム。
【請求項７】
サービス品質情報を送信することができる第１プロトコルによって第１ゲートウェイ装置に接続されている第２ゲートウェイ装置機能と、
サービス品質情報を送信することができない第２プロトコルによって第２ゲートウェイ装置に接続されており、サービス品質情報を送信することができる第３プロトコルによって管理装置に接続されている第１ゲートウェイ装置機能とを具備しており、
前記第１ゲートウェイ装置機能は、前記第２ゲートウェイ装置機能によって移動局の接続要求が受信された場合、前記第２ゲートウェイ装置に対して、前記第２プロトコル用制御信号として該移動局の接続要求を送信し、前記管理装置に対して、前記第３プロトコル用制御信号として該移動局の接続要求を送信するように構成されており、
前記第２ゲートウェイ装置機能は、前記第１ゲートウェイ装置機能によって受信された前記管理装置からの接続応答に含まれる前記移動局用のサービス品質情報を含む接続応答を、前記第１ゲートウェイ装置に対して、前記第１プロトコル用制御信号として送信するように構成されていることを特徴とするインターワーキング装置。
【発明の詳細な説明】
【技術分野】
【０００１】
本発明は、移動通信方法、移動通信システム及びインターワーキング装置に関する。
【背景技術】
【０００２】
ＬＴＥ（Ｌｏｎｇ  Ｔｅｒｍ  Ｅｖｏｌｕｔｉｏｎ）方式の無線アクセスネットワークを収容可能なＥＰＣ（Ｅｖｏｌｖｅｄ  Ｐａｃｋｅｔ  Ｃｏｒｅ）ネットワークには、ＭＭＥ（Ｍｏｂｉｌｉｔｙ  Ｍａｎａｇｅｍｅｎｔ  Ｅｎｔｉｔｙ）や、ＨＳＳ（Ｈｏｍｅ  Ｓｕｂｓｃｒｉｂｅｒ  Ｓｅｒｖｅｒ）や、Ｓ-ＧＷ（Ｓｅｒｖｉｎｇ  Ｇａｔｅｗａｙ）や、Ｐ-ＧＷ（Ｐａｃｋｅｔ  Ｄａｔａ  Ｎｅｔｗｏｒｋ-Ｇａｔｅｗａｙ）や、ｖＰＣＲＦ（ｖｉｓｉｔｅｄ  Ｐｏｌｉｃｙ  ａｎｄ  Ｃｈａｒｇｉｎｇ  Ｒｕｌｅｓ  Ｆｕｎｃｔｉｏｎ）や、ｈＰＣＲＦ（ｈｏｍｅ  Ｐｏｌｉｃｙ  ａｎｄ  Ｃｈａｒｇｉｎｇ  Ｒｕｌｅｓ  Ｆｕｎｃｔｉｏｎ）等が設けられている。
【０００３】
また、ＥＰＣネットワークでは、Ｓ-ＧＷとＰ-ＧＷとの間では、ＧＴＰ（ＧＰＲＳ  Ｔｕｎｎｅｌｉｎｇ  Ｐｒｏｔｏｃｏｌ）又はＰＭＩＰ（Ｐｒｏｘｙ  Ｍｏｂｉｌｅ  ＩＰ）のいずれかのプロトコルが用いられるように構成されている。
【先行技術文献】
【非特許文献】
【０００４】
【非特許文献１】３ＧＰＰ  ＴＳ２３.４０１
【非特許文献２】３ＧＰＰ  ＴＳ２３.４０２
【非特許文献３】３ＧＰＰ  ＴＳ２９.０６０
【非特許文献４】３ＧＰＰ  ＴＳ２９.２７４
【非特許文献５】３ＧＰＰ  ＴＳ２９.２７５
【非特許文献６】３ＧＰＰ  ＴＳ２３.２０３
【非特許文献７】３ＧＰＰ  ＴＳ２３.３０３
【発明の概要】
【発明が解決しようとする課題】
【０００５】
図６に、Ｓ-ＧＷとＰ-ＧＷとの間でＧＴＰが用いられている場合に、ネットワーク事業者Ａとネットワーク事業者Ｂとを接続してローミングを実施する場合のＥＰＣネットワークのアーキテクチャについて示し、図７に、Ｓ-ＧＷとＰ-ＧＷとの間でＰＭＩＰが用いられている場合に、ネットワーク事業者Ａとネットワーク事業者Ｂとを接続してローミングを実施する場合のＥＰＣネットワークのアーキテクチャについて示す。
【０００６】
このように、Ｓ-ＧＷとＰ-ＧＷとの間でＧＴＰが用いられているＥＰＣネットワークのアーキテクチャと、Ｓ-ＧＷとＰ-ＧＷとの間でＰＭＩＰが用いられているＥＰＣネットワークのアーキテクチャとは異なる。
【０００７】
したがって、Ｓ-ＧＷとＰ-ＧＷとの間でＧＴＰが用いられているＥＰＣネットワークと、Ｓ-ＧＷとＰ-ＧＷとの間でＰＭＩＰが用いられているＥＰＣネットワークとを直接接続して、ローミングを実施することができないという問題点があった。
【０００８】
そこで、本発明は、上述の課題に鑑みてなされたものであり、異なるネットワークのアーキテクチャを具備するネットワーク事業者間でローミングを実施することを可能とする移動通信方法、移動通信システム及びインターワーキング装置を提供することを目的とする。
【課題を解決するための手段】
【０００９】
本発明の第１の特徴は、移動通信方法であって、サービス品質情報を送信することができる第１プロトコルによってインターワーキング装置に接続されている第１ゲートウェイ装置が、該インターワーキング装置に対して、該第１プロトコル用制御信号として移動局の接続要求を送信する工程と、前記インターワーキング装置が、サービス品質情報を送信することができない第２プロトコルによって該インターワーキング装置に接続されている第２ゲートウェイ装置に対して、該第２プロトコル用制御信号として前記移動局の接続要求を送信し、サービス品質情報を送信することができる第３プロトコルによって該インターワーキング装置に接続されている管理装置に対して、該第３プロトコル用制御信号として該移動局の接続要求を送信する工程と、前記管理装置が、受信した前記移動局の接続要求に応じて、前記インターワーキング装置に対して、前記第３プロトコル用制御信号として接続応答を送信する工程と、前記第２ゲートウェイ装置が、受信した前記移動局の接続要求に応じて、前記インターワーキング装置に対して、前記第２プロトコル用制御信号として接続応答を送信する工程と、前記インターワーキング装置が、前記管理装置から受信した前記接続応答に含まれる前記移動局用のサービス品質情報を含む接続応答を、前記第１ゲートウェイ装置に対して、前記第１プロトコル用制御信号として送信する工程とを有することを要旨とする。
【００１０】
本発明の第２の特徴は、移動通信システムであって、インターワーキング装置と、サービス品質情報を送信することができる第１プロトコルによって前記インターワーキング装置に接続されている第１ゲートウェイ装置と、サービス品質情報を送信することができない第２プロトコルによって前記インターワーキング装置に接続されている第２ゲートウェイ装置と、サービス品質情報を送信することができる第３プロトコルによって前記インターワーキング装置に接続されている管理装置とを具備しており、前記第１ゲートウェイ装置は、前記インターワーキング装置に対して、前記第１プロトコル用制御信号として移動局の接続要求を送信するように構成されており、前記インターワーキング装置は、前記第２ゲートウェイ装置に対して、前記第２プロトコル用制御信号として前記移動局の接続要求を送信し、前記管理装置に対して、前記第３プロトコル用制御信号として該移動局の接続要求を送信するように構成されており、前記管理装置は、受信した前記移動局の接続要求に応じて、前記インターワーキング装置に対して、前記第３プロトコル用制御信号として接続応答を送信するように構成されており、前記第２ゲートウェイ装置は、受信した前記移動局の接続要求に応じて、前記インターワーキング装置に対して、前記第２プロトコル用制御信号として接続応答を送信するように構成されており、前記インターワーキング装置は、前記管理装置から受信した前記接続応答に含まれる前記移動局用のサービス品質情報を含む接続応答を、前記第１ゲートウェイ装置に対して、前記第１プロトコル用制御信号として送信するように構成されていることを要旨とする。
【００１１】
本発明の第３の特徴は、インターワーキング装置であって、サービス品質情報を送信することができる第１プロトコルによって第１ゲートウェイ装置に接続されている第２ゲートウェイ装置機能と、サービス品質情報を送信することができない第２プロトコルによって第２ゲートウェイ装置に接続されており、サービス品質情報を送信することができる第３プロトコルによって管理装置に接続されている第１ゲートウェイ装置機能とを具備しており、前記第１ゲートウェイ装置機能は、前記第２ゲートウェイ装置機能によって移動局の接続要求が受信された場合、前記第２ゲートウェイ装置に対して、前記第２プロトコル用制御信号として該移動局の接続要求を送信し、前記管理装置に対して、前記第３プロトコル用制御信号として該移動局の接続要求を送信するように構成されており、前記第２ゲートウェイ装置機能は、前記第１ゲートウェイ装置機能によって受信された前記管理装置からの接続応答に含まれる前記移動局用のサービス品質情報を含む接続応答を、前記第１ゲートウェイ装置に対して、前記第１プロトコル用制御信号として送信するように構成されていることを要旨とする。
【発明の効果】
【００１２】
以上説明したように、本発明によれば、異なるネットワークのアーキテクチャを具備するネットワーク事業者間でローミングを実施することを可能とする移動通信方法、移動通信システム及びインターワーキング装置を提供することができる。
【図面の簡単な説明】
【００１３】
【図１】本発明の第１の実施形態に係る移動通信システムの全体構成図である。
【図２】本発明の第１の実施形態に係るＩＷＦの機能ブロック図である。
【図３】本発明の第１の実施形態に係る移動通信システムの動作を説明するための図である。
【図４】本発明の第１の実施形態に係る移動通信システムの動作を説明するための図である。
【図５】本発明の第１の実施形態に係る移動通信システムの動作を説明するための図である。
【図６】従来の移動通信システムの全体構成図である。
【図７】従来の移動通信システムの全体構成図である。
【発明を実施するための形態】
【００１４】
（本発明の第１の実施形態に係る移動通信システムの構成）
図１及び図２を参照して、本発明の第１の実施形態に係る移動通信システムの構成について説明する。
【００１５】
図１に示すように、本実施形態に係る移動通信システムは、ＬＴＥ方式の無線アクセスネットワークを収容可能なＥＰＣネットワークを具備している。
【００１６】
具体的には、本実施形態に係る移動通信システムでは、移動局ＵＥのホームネットワークであるＨＰＬＭＮ（Ｈｏｍｅ  Ｐｕｂｌｉｃ  Ｌａｎｄ  Ｍｏｂｉｌｅ  Ｎｅｔｗｏｒｋ）と移動局の訪問先ネットワークであるＶＰＬＭＮ（Ｖｉｓｉｔｅｄ  Ｐｕｂｌｉｃ  Ｌａｎｄ  Ｍｏｂｉｌｅ  Ｎｅｔｗｏｒｋ）との間でローミングが実施されるように構成されている。
【００１７】
ＶＰＬＭＮは、Ｓ-ＧＷとＰ-ＧＷとの間でＧＴＰを用いているネットワーク事業者のＥＰＣネットワークであり、図１の例では、ＬＴＥ方式のネットワークや、ＤＮＳ（Ｄｏｍａｉｎ  Ｎａｍｅ  Ｓｅｒｖｅｒ）＃１や、ＭＭＥや、ＨＳＳや、Ｓ-ＧＷ等を具備している。
【００１８】
一方、ＨＰＬＭＮは、Ｓ-ＧＷとＰ-ＧＷとの間でＰＭＩＰを用いているネットワーク事業者のＥＰＣネットワークであり、図１の例では、ＤＮＳ＃２や、ｈＰＣＲＦや、Ｐ-ＧＷや、外部ネットワーク等を具備している。
【００１９】
ここで、ＭＭＥは、移動局ＵＥ（不図示）の接続に必要な加入者情報を保持しており、ＬＴＥ方式の無線アクセスネットワークにおけるＣ-Ｐｌａｎｅ機能を提供するように構成されている交換機である。
【００２０】
Ｓ-ＧＷは、ＬＴＥ方式の無線アクセスネットワークにおけるＵ-Ｐｌａｎｅ機能を提供するように構成されているパケット交換機であり、ＬＴＥ方式の無線基地局ｅＮＢ（不図示）を跨ぐハンドオーバにおけるアンカーノードである。
【００２１】
Ｐ-ＧＷは、外部ネットワークへの接続ポイントであり、Ｓ-ＧＷを跨ぐハンドオーバにおけるアンカーノードである。
【００２２】
ＨＳＳは、移動局ＵＥに関する契約情報や、移動局ＵＥの位置情報等を管理するように構成されている加入者データベースである。
【００２３】
ｈＰＣＲＦは、移動局ＵＥのＱｏＳ情報や課金情報等を管理するように構成されている管理装置である。
【００２４】
なお、本実施形態に係る移動通信システムには、更に、ＶＰＬＭＮにおけるＳ-ＧＷや、ＨＰＬＭＮにおけるＰ-ＧＷやｈＰＣＲＦやＤＮＳ＃２等に接続されているＩＷＦが設けられている。
【００２５】
ここで、ＩＷＦは、ＧＴＰ（第１プロトコル）によってＶＰＬＭＮにおけるＳ-ＧＷに接続されており、ＰＭＩＰ（第２プロトコル）によってＨＰＬＭＮにおけるＰ-ＧＷに接続されており、Ｄｉａｍｅｔｅｒ（第３プロトコル）によってｈＰＣＲＦに接続されているインターワーキング装置である。
【００２６】
なお、ＧＴＰ及びＤｉａｍｅｔｅｒは、移動局のＱｏＳ情報（サービス品質情報）を送信することができるプロトコルであり、ＰＭＩＰは、移動局のＱｏＳ情報を送信することができないプロトコルである。
【００２７】
図２に示すように、ＩＷＦは、Ｐ-ＧＷ機能１１と、変換機能１２と、Ｓ-ＧＷ機能１３とを具備している。
【００２８】
Ｐ-ＧＷ機能１１は、ＶＰＬＭＮにおけるＳ-ＧＷに対して、ＧＴＰを介してＰ-ＧＷとしての振る舞いをするように構成されている。
【００２９】
Ｓ-ＧＷ機能１３は、ＨＰＬＭＮにおけるＰ-ＧＷに対して、ＰＭＩＰを介してＳ-ＧＷとしての振る舞いをするように構成されており、ＨＰＬＭＮにおけるｈＰＣＲＦに対して、Ｄｉａｍｅｔｅｒを介してＳ-ＧＷとしての振る舞いをするように構成されている。
【００３０】
変換機能１２は、ＧＴＰ-Ｃ信号（ＧＴＰ用制御信号）とＰＭＩＰ用制御信号とＤｉａｍｅｔｅｒ用制御信号との間の変換処理を行うように構成されている。また、変換機能１２は、ＧＴＰ-Ｕ信号とＰＭＩＰ用データ信号とＤｉａｍｅｔｅｒ用データ信号との間の変換処理を行うように構成されていてもよい。
【００３１】
（本発明の第１の実施形態に係る移動通信システムの動作）
以下、図３乃至図５を参照して、本発明の第１の実施形態に係る移動通信システムの動作、具体的には、移動局ＵＥの接続処理（例えば、発信処理やアタッチ処理等）について説明する。
【００３２】
ＭＭＥは、ステップＳ１０１において、移動局ＵＥ（不図示）の接続要求を受信すると、ステップＳ１０２において、ＤＮＳ＃１に対して、移動局ＵＥの接続要求に係るネットワークのＡＰＮ（Ａｃｃｅｓｓ  Ｐｏｉｎｔ  Ｎａｍｅ）を含むＤＮＳ要求（Ｐ-ＧＷのアドレス解決要求）を送信する。
【００３３】
ここで、ＤＮＳ＃１は、ＤＮＳ要求に含まれるＡＰＮに基づいて、移動局ＵＥの接続要求が特定のネットワーク（図１の例では、ＨＰＬＭＮ）に対するものであるか否かについて判定する。
【００３４】
ＤＮＳ＃１は、移動局ＵＥの接続要求が特定のネットワークに対するものであると判定した場合、ＭＭＥに対して、Ｓ-ＧＷのアドレス及びＩＷＦのＰ-ＧＷ機能１１のアドレスを含むＤＮＳ応答を送信する。
【００３５】
ＭＭＥは、ＡＰＮに対応するＰ-ＧＷ及びＳ-ＧＷの両方のアドレス、又は、Ｐ-ＧＷのアドレスを予め保持していてもよい。前者の場合、上述のステップＳ１０２が発生しないか、或いは、上述のステップＳ１０２が発生した場合としても、ＭＭＥは、ＤＮＳ＃１から取得したＰ-ＧＷのアドレスは利用しない。後者の場合、ＭＭＥは、ステップ１０２同様の手順を用いてＳ-ＧＷのアドレスのみの変換を実施する。
【００３６】
ステップＳ１０３において、ＭＭＥは、Ｓ-ＧＷに対して、上述のＡＰＮ及びＰ-ＧＷ機能１１のアドレスを含む移動局ＵＥの接続要求を送信する。
【００３７】
ステップＳ１０４において、Ｓ-ＧＷは、ＩＷＦのＰ-ＧＷ機能１１に対して、ＧＴＰ-Ｃ信号として、上述のＡＰＮを含む移動局ＵＥの接続要求を送信する。
【００３８】
ステップＳ１０５において、ＩＷＦのＰ-ＧＷ機能１１は、ＩＷＦの変換機能１２に対して、受信した移動局ＵＥの接続要求を含むプロトコル変換要求を送信する。
【００３９】
ステップＳ１０６において、ＩＷＦの変換機能１２は、受信したプロトコル変換要求に応じて、ＩＷＦのＰ-ＧＷ機能１１によって受信されたＧＴＰ-Ｃ信号としての移動局ＵＥの接続要求から、ＰＭＩＰ用制御信号としての移動局ＵＥの接続要求及びＤｉａｍｅｔｅｒ用制御信号としての移動局ＵＥの接続要求を生成する。
【００４０】
ステップＳ１０７Ａにおいて、ＩＷＦの変換機能１２は、ＤＮＳ＃２に対して、上述のＡＰＮを含むＤＮＳ要求を送信することによって、ＤＮＳ＃２から、ｈＰＣＲＦのアドレス及びＰ-ＧＷのアドレスを取得する。
【００４１】
また、ＩＷＦのＳ-ＧＷ機能が、ｈＰＣＲＦのアドレス及びＰ-ＧＷのアドレスを保持するデータベース等を具備していてもよい。この場合は、ＩＷＦの変換機能１２は、ＤＮＳ＃２への問い合わせを行わないか、行ったとしても取得した情報を利用しない。
【００４２】
ステップＳ１０８において、ＩＷＦの変換機能１２は、ＩＷＦのＳ-ＧＷ機能１３に対して、ＰＭＩＰ用制御信号としての移動局ＵＥの接続要求及びＤｉａｍｅｔｅｒ用制御信号としての移動局ＵＥの接続要求を送信する。
【００４３】
ここで、ＩＷＦのＳ-ＧＷ機能１３が、ＩＷＦの変換機能１２によるステップＳ１０７Ａの動作の代わりに、ステップＳ１０７Ｂにおいて、ＤＮＳ＃２に対して、上述のＡＰＮを含むＤＮＳ要求を送信することによって、ＤＮＳ＃２から、ｈＰＣＲＦのアドレス及びＰ-ＧＷのアドレスを取得してもよい。
【００４４】
また、ＩＷＦのＳ-ＧＷ機能が、ｈＰＣＲＦのアドレス及びＰ-ＧＷのアドレスを保持するデータベース等を具備していてもよい。この場合は、ＩＷＦのＳ-ＧＷ機能１３は、ＤＮＳ＃２への問い合わせを行わないか、行ったとしても取得した情報を利用しない。
【００４５】
ステップＳ１０９において、ＩＷＦのＳ-ＧＷ機能１３は、ｈＰＣＲＦに対して、Ｄｉａｍｅｔｅｒ用制御信号として、移動局ＵＥの接続要求を送信する。
【００４６】
ステップＳ１１０において、ｈＰＣＲＦは、受信した移動局ＵＥの接続要求に応じて、ＩＷＦのＳ-ＧＷ機能１３に対して、移動局ＵＥのＱｏＳ情報を含む接続応答を、Ｄｉａｍｅｔｅｒ用制御信号として送信する。
【００４７】
ステップＳ１１０Ａにおいて、ＩＷＦのＳ-ＧＷ機能１３は、ｈＰＣＲＦから受信した移動局ＵＥのＱｏＳ情報を含む接続応答を、ＩＷＦの変換機能１２に送信する。
【００４８】
ステップＳ１１１において、ＩＷＦのＳ-ＧＷ機能１３は、Ｐ-ＧＷに対して、ＰＭＩＰ用制御信号として、移動局ＵＥの接続要求を送信する。
【００４９】
ステップＳ１１１Ａにおいて、Ｐ-ＧＷは、ＤＮＳ＃２に対して、上述のＡＰＮを含むＤＮＳ要求を送信することによって、ＤＮＳ＃２から、ｈＰＣＲＦのアドレスを取得する。Ｐ-ＧＷは、ｈＰＣＲＦのアドレスを保持していてもよい。その場合、ステップＳ１１１Ａは行われない。
【００５０】
ステップＳ１１２において、Ｐ-ＧＷは、受信した移動局ＵＥの接続要求を、ｈＰＣＲＦに対して、Ｄｉａｍｅｔｅｒ用制御信号として送信する。
【００５１】
ステップＳ１１３において、ｈＰＣＲＦは、受信した移動局ＵＥの接続要求に応じて、Ｐ-ＧＷに対して、Ｄｉａｍｅｔｅｒ用制御信号として、移動局ＵＥのＱｏＳ情報を含む接続応答を送信する。
【００５２】
ここで、Ｓ-ＧＷとＰ-ＧＷとの間において、上述の移動局ＵＥのＱｏＳ情報に対応する下りトンネルの設定が完了する。Ｐ-ＧＷから移動局ＵＥ方向にデータが送信される場合、かかるデータは、ＩＷＦを経由し、ＩＷＦにおいてＧＴＰ用信号へと変換され、ＩＷＦからＳ-ＧＷへと転送される。
【００５３】
ステップＳ１１４において、Ｐ-ＧＷは、ＩＷＦのＳ-ＧＷ機能１３に対して、ＰＭＩＰ用制御信号として、移動局ＵＥのＱｏＳ情報を含まない接続応答を送信する。
【００５４】
ステップＳ１１５において、ＩＷＦのＳ-ＧＷ機能１３は、Ｐ-ＧＷから受信した接続応答を、ＩＷＦの変換機能１２に送信する。
【００５５】
ステップＳ１１６において、ＩＷＦの変換機能１２は、ステップＳ１１０Ａにおいて受信したＤｉａｍｅｔｅｒ用制御信号としての接続応答及びステップＳ１１５において受信したＰＭＩＰ用制御信号としての接続応答に基づいて、ＧＴＰ-Ｃ信号としての接続応答を生成する。
【００５６】
ここで、ＩＷＦの変換機能１２は、Ｄｉａｍｅｔｅｒ用制御信号としての接続応答及びＰＭＩＰ用制御信号としての接続応答に含まれるＡＰＮ及びＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に基づいて、両者を対応付けることができる。
【００５７】
なお、ＧＴＰ-Ｃ信号としての接続応答には、移動局ＵＥのＱｏＳ情報が含まれている。
【００５８】
ステップＳ１１７において、ＩＷＦの変換機能１２は、ＩＷＦのＰ-ＧＷ機能１１に対して、移動局ＵＥのＱｏＳ情報を含む接続応答を送信し、ステップＳ１１８において、ＩＷＦのＰ-ＧＷ機能１１は、Ｓ-ＧＷに対して、ＧＴＰ-Ｃ信号として、移動局ＵＥのＱｏＳ情報を含む接続応答を送信する。
【００５９】
ここで、Ｓ-ＧＷとＰ-ＧＷとの間において、上述の移動局ＵＥのＱｏＳ情報に対応する上りトンネルの設定が完了する。移動局ＵＥからＰ-ＧＷ方向にデータが送信される場合、かかるデータは、ＩＷＦを経由し、ＩＷＦにおいてＧＴＰ用信号からＰＭＩＰ用Ｕ-Ｐｌａｎｅ信号に変換され、ＩＷＦからＳ-ＧＷへと転送される。
【００６０】
ステップＳ１１９において、Ｓ-ＧＷは、ＭＭＥに対して、上述の移動局ＵＥの接続要求に対する接続応答を送信し、ＭＭＥは、移動局ＵＥに対して、かかる接続応答を送信することによって、移動局ＵＥの接続処理は完了し、移動局ＵＥによる通信が可能となる。
【００６１】
（本発明の第１の実施形態に係る移動通信システムの作用・効果）
本発明の第１の実施形態に係る移動通信システムによれば、ＭＭＥにおけるＳ-ＧＷ及びＰ-ＧＷを選択する機能やＶＰＬＭＮにおけるＤＮＳに対して改修することなく、ＶＰＬＭＮとＨＰＬＭＮとの間のローミングを実施することができる。
【００６２】
すなわち、本発明の第１の実施形態に係る移動通信システムによれば、ＭＭＥにおけるＳ-ＧＷ及びＰ-ＧＷを選択する機能やＶＰＬＭＮにおけるＤＮＳに対する改修に協力しないネットワーク事業者との間でもローミングを実施することができる。
【００６３】
以上に述べた本実施形態の特徴は、以下のように表現されていてもよい。
【００６４】
本実施形態の第１の特徴は、移動通信方法であって、ＱｏＳ情報（サービス品質情報）を送信することができるＧＴＰ（第１プロトコル）によってＩＷＦ（インターワーキング装置）に接続されているＳ-ＧＷ（第１ゲートウェイ装置）が、ＩＷＦに対して、ＧＴＰ-Ｃ信号（第１プロトコル用制御信号）として移動局ＵＥの接続要求を送信する工程と、ＩＷＦが、ＱｏＳ情報を送信することができないＰＭＩＰ（第２プロトコル）によってＩＷＦに接続されているＰ-ＧＷ（第２ゲートウェイ装置）に対して、ＰＭＩＰ用制御信号（第２プロトコル用制御信号）として移動局ＵＥの接続要求を送信し、ＱｏＳ情報を送信することができるＤｉａｍｅｔｅｒ（第３プロトコル）によってＩＷＦに接続されているｈＰＣＲＦ（管理装置）に対して、Ｄｉａｍｅｔｅｒ用制御信号（第３プロトコル用制御信号）として移動局ＵＥの接続要求を送信して通信経路を確立する工程と、ｈＰＣＲＦが、受信した移動局ＵＥの接続要求に応じて、ＩＷＦに対して、Ｄｉａｍｅｔｅｒ用制御信号として接続応答を送信して通信経路を確立する工程と、Ｐ-ＧＷが、受信した移動局ＵＥの接続要求に応じて、ＩＷＦに対して、ＰＭＩＰ用制御信号として接続応答を送信して通信経路を確立する工程と、ＩＷＦが、ｈＰＣＲＦから受信した接続応答に含まれる移動局ＵＥ用のＱｏＳ情報を含む接続応答を、Ｓ-ＧＷに対して、ＧＴＰ-Ｃ信号として送信して通信経路を確立する工程とを有することを要旨とする。
【００６５】
本実施形態の第１の特徴において、ＭＭＥ（交換機）が、移動局ＵＥの接続要求を受信した場合に、ＤＮＳに対して、Ｐ-ＧＷのアドレス解決要求を送信する工程と、ＤＮＳが、Ｐ-ＧＷのアドレス解決要求に応じて、ＭＭＥに対して、ＩＷＦのアドレスを含むアドレス解決応答を送信する工程とを有してもよい。
【００６６】
本実施形態の第１の特徴において、ＭＭＥは、ＩＷＦのアドレスを直接保持し、ＤＮＳを介することなく、かかるＩＷＦのアドレスをＰ-ＧＷのアドレス解決に用いてもよい、すなわち、ＭＭＥは、かかるＩＷＦのアドレスを、Ｐ-ＧＷのアドレスと看做してもよい。
【００６７】
本実施形態の第２の特徴は、移動通信システムであって、ＩＷＦと、ＧＴＰによってＩＷＦに接続されているＳ-ＧＷと、ＰＭＩＰによってＩＷＦに接続されているＰ-ＧＷと、ＤｉａｍｅｔｅｒによってＩＷＦに接続されているｈＰＣＲＦとを具備しており、Ｓ-ＧＷは、ＩＷＦに対して、ＧＴＰ-Ｃ信号として移動局ＵＥの接続要求を送信するように構成されており、ＩＷＦは、Ｐ-ＧＷに対して、ＰＭＩＰ用制御信号として移動局ＵＥの接続要求を送信し、ｈＰＣＲＦに対して、Ｄｉａｍｅｔｅｒ用制御信号として移動局ＵＥの接続要求を送信するように構成されており、ｈＰＣＲＦは、受信した移動局ＵＥの接続要求に応じて、ＩＷＦに対して、Ｄｉａｍｅｔｅｒ用制御信号として接続応答を送信するように構成されており、Ｐ-ＧＷは、受信した移動局ＵＥの接続要求に応じて、ＩＷＦに対して、ＰＭＩＰ用制御信号として接続応答を送信するように構成されており、ＩＷＦは、ｈＰＣＲＦから受信した接続応答に含まれる移動局ＵＥ用のＱｏＳ情報を含む接続応答を、Ｓ-ＧＷに対して、ＧＴＰ-Ｃ信号として送信するように構成されていることを要旨とする。
【００６８】
本実施形態の第２の特徴において、ＭＭＥと、ＤＮＳとを更に具備しており、ＭＭＥは、移動局ＵＥの接続要求を受信した場合に、ＤＮＳに対して、Ｐ-ＧＷのアドレス解決要求を送信するように構成されており、ＤＮＳは、Ｐ-ＧＷのアドレス解決要求に応じて、交換機ＭＭＥに対して、ＩＷＦのアドレスを含むアドレス解決応答を送信するように構成されていてもよい。
【００６９】
或いは、ＭＭＥは、ＩＷＦのアドレスを直接保持し、ＤＮＳを介することなく、かかるＩＷＦのアドレスをＰ-ＧＷのアドレス解決に用いるように構成されていてもよい。
【００７０】
本実施形態の第３の特徴は、ＩＷＦであって、よってｈＰＣＲＦに接続されているＳ-ＧＷ機能１３（第１ゲートウェイ装置機能）とを具備しており、Ｓ-ＧＷ機能１３は、Ｐ-ＧＷ機能１１によって移動局ＵＥの接続要求が受信された場合、Ｐ-ＧＷに対して、ＰＭＩＰ用制御信号として移動局ＵＥの接続要求を送信し、ｈＰＣＲＦに対して、前記第Ｄｉａｍｅｔｅｒ用制御信号として移動局ＵＥの接続要求を送信するように構成されており、Ｐ-ＧＷ機能１１は、Ｓ-ＧＷ機能１３によって受信されたｈＰＣＲＦからの接続応答に含まれる移動局ＵＥ用のＱｏＳ情報を含む接続応答を、Ｓ-ＧＷに対して、ＧＴＰ-Ｃ信号として送信するように構成されていることを要旨とする。
【００７１】
なお、上述のＩＷＦの動作は、ハードウェアによって実施されてもよいし、プロセッサによって実行されるソフトウェアモジュールによって実施されてもよいし、両者の組み合わせによって実施されてもよい。
【００７２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＩＷＦ内に設けられていてもよい。また、かかる記憶媒体及びプロセッサは、ディスクリートコンポーネントとしてＩＷＦ内に設けられていてもよい。
【００７４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７５】
１１…Ｐ-ＧＷ機能
１２…変換機能
１３…Ｓ-ＧＷ機能
【図１】
2011004256.tif 000003
【図２】
2011004256.tif 000004
【図３】
2011004256.tif 000005
【図４】
2011004256.tif 000006
【図５】
2011004256.tif 000007
【図６】
2011004256.tif 000008
【図７】
2011004256.tif 000009